(57)【要約】【課題】鏡面材の傾斜角度の調節が簡便であり、しかもその操作性に優れたウォールキャビネットを提供すること。【解決手段】前端２が開放され、内部が物品収納用の収納部４とされた箱体５と、箱体の前端を開閉する扉６と、箱体の収納部を上下に区画する棚板７とを備え、天井際に設置されるウォールキャビネット１において、箱体の内部の天面部１３に第１鏡面材１４が設けられ、棚板の下面部１７に第２鏡面材１８が設けられ、第２鏡面材は、前端１８ｂにおいて、棚板に設けられた回動軸２０によって上下方向に回動自在に軸支され、箱体の内部には、回動軸を中心として第２鏡面材を上下方向に回動させて傾斜させる傾斜手段２１と、傾斜手段を操作する操作手段２２とが設けられ、操作手段は、箱体の前端寄りに配置されている。【選択図】図１
2014054332.tif 000002
【特許請求の範囲】
【請求項１】
前端が開放され、内部が物品収納用の収納部とされた箱体と、この箱体の前記前端を開閉する扉と、前記箱体の前記収納部を上下に区画する棚板とを備え、天井際に設置されるウォールキャビネットにおいて、
前記箱体の内部の天面部に第１鏡面材が設けられ、前記棚板の下面部に第２鏡面材が設けられ、この第２鏡面材は、その前端において、前記棚板に設けられた回動軸によって上下方向に回動自在に軸支され、
前記箱体の内部には、前記回動軸を中心として前記第２鏡面材を上下方向に回動させて傾斜させる傾斜手段と、この傾斜手段を操作する操作手段とが設けられ、この操作手段は、前記箱体の前記前端寄りに配置されている
ことを特徴とするウォールキャビネット。
【請求項２】
前記操作手段は、回転操作式、または引き下げおよび押し上げ式のものであることを特徴とする請求項１に記載のウォールキャビネット。
【請求項３】
前記第１鏡面材の下面を形成する鏡面が球面状になっていることを特徴とする請求項１または２に記載のウォールキャビネット。
【発明の詳細な説明】
【技術分野】
【０００１】
本発明は、ウォールキャビネットに関する。
【背景技術】
【０００２】
本出願人は、流し台や洗面化粧台などの家具の上方に設置される収納庫としてのウォールキャビネットに関し、下記特許文献１に記載したものを提案している。
【０００３】
特許文献１に記載した収納キャビネットは、鏡面材が、物品を収納する収納空間の奥側が下に、収納空間の手前側が上になるように傾斜して配置可能とされたものであり、鏡面材の少なくとも下面は、収納空間内に収納された収納物を映す鏡面とされている。このような収納キャビネットは、使用者が、自分の目線より高い位置でかつ収納空間の奥寄りに収納されている収納物を明確に確認することを可能とし、しかも収納物の確認のために使用者に無理な動作を強いず、動作の負担を軽減することができる。
【０００４】
また、特許文献１に記載した収納キャビネットでは、鏡面材を傾斜して配置する支持部材が設けられ、この支持部材は、鏡面材の傾斜角度を所望の位置に固定する傾斜角度調節機構を有している。この傾斜角度調節機構によって、収納空間の高さや使用者の背の高さなどに応じて収納空間の奥寄りに収納されている収納物を確認しやすいように、鏡面材の傾斜角度を調節することができる。
【先行技術文献】
【特許文献】
【０００５】
【特許文献１】特開２００５−１１１１１１号公報
【発明の概要】
【発明が解決しようとする課題】
【０００６】
ところで、特許文献１に記載している傾斜角度調節機構は、具体的には、鏡面材の下側となる側端に設けられた鎖状接続具と、収納キャビネットの天板の内面または棚板の下面に取り付けられた補助接続具とから構成される。この傾斜角度調節機構では、鎖状接続具の任意の輪に補助接続具を繋ぐことによって鏡面材の傾斜角度の調節が行われる。このような鏡面材の傾斜角度の調節は、操作がシンプルであり、一見使い勝手が良好なように思われる。
【０００７】
しかしながら、実際には、使用者が複数いる場合、使用者間で身長が異なることは往々にしてあり、このため、使用者が変わるごとに補助接続具に繋ぐ鎖状接続具の輪を変える必要がある。収納キャビネットは、天井際の比較的高所に配置されるため、使用者の身長によっては、鏡面材の傾斜角度の調節の際に踏み台などを用いることが余儀なくされる。したがって、傾斜角度調節機構には、使用者間で不都合がないように、操作性の改善が要望される。また、鏡面材は、収納空間の奥側が下に配置されて傾斜するため、収納空間の奥寄りに収納される収納物を取り出そうとする場合や、収納空間の奥寄りに収納物を収納しようとする場合に、鏡面材が収納物の取り出しおよび収納の邪魔になることがあった。
【０００８】
本発明は、以上のとおりの事情に鑑みてなされたものであり、鏡面材の傾斜角度の調節が簡便であり、その操作性に優れ、かつ物品の取り出しおよび収納を円滑に行うことができるウォールキャビネットを提供することを課題としている。
【課題を解決するための手段】
【０００９】
上記の課題を解決するために、本発明のウォールキャビネットは、前端が開放され、内部が物品収納用の収納部とされた箱体と、箱体の前端を開閉する扉と、箱体の収納部を上下に区画する棚板とを備え、天井際に設置されるウォールキャビネットにおいて、箱体の内部の天面部に第１鏡面材が設けられ、棚板の下面部に第２鏡面材が設けられ、第２鏡面材は、その前端において、棚板に設けられた回動軸によって上下方向に回動自在に軸支され、箱体の内部には、回動軸を中心として第２鏡面材を上下方向に回動させて傾斜させる傾斜手段と、傾斜手段を操作する操作手段とが設けられ、操作手段は、箱体の前端寄りに配置されていることを特徴としている。
【００１０】
このウォールキャビネットにおいては、操作手段は、回転操作式、または引き下げおよび押し上げ式のものであることが好ましい。
【００１１】
このウォールキャビネットにおいては、第１鏡面材の下面を形成する鏡面が球面状になっていることが好ましい。
【発明の効果】
【００１２】
本発明のウォールキャビネットによれば、鏡面材の傾斜角度の調節が簡便であり、その操作性が優れ、かつ物品の取り出しおよび収納を円滑に行うことができる。
【図面の簡単な説明】
【００１３】
【図１】本発明のウォールキャビネットの一実施形態を、扉を開いて正面側から示した斜視図である。
【図２】図１に示したウォールキャビネットの上下方向の断面図であり、扉を省略して図示したものである。
【発明を実施するための形態】
【００１４】
図１は、本発明のウォールキャビネットの一実施形態を、扉を開いて正面側から示した斜視図である。図２は、図１に示したウォールキャビネットの上下方向の断面図であり、扉を省略して図示したものである。
【００１５】
ウォールキャビネット１は、前端２が開放され、内部が物品３を収納するための収納部４とされた箱体５と、箱体５の前端２を開閉する扉６と、箱体５の収納部４を上下に区画する棚板７とを備えている。
【００１６】
箱体５は、上下に対向して配置された平板状の天板８および底板９と、天板８および底板９の左右両側に互いに対向して配置された平板状の側板１０と、天板８および底板９の後端部に配置された平板状の背板１１とから形成されている。これらの天板８、底板９、左右の側板１０および背板１１により囲まれた内側の空間が、物品３の収納用の収納部４とされている。
【００１７】
扉６は、観音開き式であり、箱体５の前端２に左右に一枚ずつ設けられている。各扉６は、その裏面の後端部に上下一対として配置されたヒンジ１２によって、箱体５の左右の側板１０のそれぞれに連結されている。ヒンジ１２は、扉６の裏面の後端部と左右の側板１０の内面の前端部に固定され、扉６を左右方向に回動自在に支持している。このため、扉６は、箱体５の前端２を開閉することができる。扉６の開閉操作は、たとえば、扉６の表面部に設けられる取っ手、または箱体５の高さよりも長さが長くされた扉６において、箱体５の底板９より下側に突出する扉６の下端部などに使用者が手指を掛けることによって容易に行うことができる。
【００１８】
棚板７は、平板状の形状を有し、箱体５の内部に一枚設けられている。また、棚板７は、箱体５の高さ方向の中央部からやや上側に配置され、収納部４を上下の２つに区画している。棚板７から上側と下側では収納部４の収納量が異なり、棚板７から下側の収納部４の収納量は、棚板７から上側の収納部４の収納量よりも大きい。棚板７の箱体５への取り付けは、特に限定されず、たとえばダボなどを用いて行うことができる。ダボを用いる場合には、棚板７の取付高さを変更することができるように、左右の側板１０のそれぞれの内面側に前後２列のダボ穴を形成し、所望の位置にダボを打入または螺入することができるようにする。また、棚板７には、その下面側にダボの頭部が嵌入することのできる切欠を左右に２つずつ形成しておく。所望の高さに対応するダボ穴に左右２つずつのダボを取り付け、取り付けたダボの上方において収納部４内に挿入した棚板７を、切欠にダボの頭部を嵌入させて配置することにより、棚板７の箱体５への取り付けを簡便に行うことができる。
【００１９】
このようなウォールキャビネット１は、流し台や洗面化粧台などの家具の上方の天井際に設置される。たとえば、ウォールキャビネット１は、天井付近の内壁上端部などに固定されて取り付けられる。物品３は、底板９および棚板７の上面の上に載せ、箱体５の幅および奥行き方向に収納可能である。
【００２０】
また、ウォールキャビネット１では、箱体５の内部の天面部１３、すなわち、天板８の下面８ａ側の部分に、平板状の第１鏡面材１４が設けられている。第１鏡面材１４は、下面１４ａに鏡面１５を有するものであり、第１鏡面材１４には、鏡板をはじめとして、ステンレスや防錆処理した他の金属板などを鏡面仕上げしたものなどを採用することができる。
【００２１】
第１鏡面材１４は、前端部１４ｂが天板８の下面８ａの前端の直下に配置され、後端部１４ｃが天板８の下面８ａの後端より下側に配置されて、棚板７より上側の収納部４の内部において前端部１４ｂから後端部１４ｃにかけて下方に傾斜して配置されている。このような第１鏡面材１４の傾斜は、使用者１６による物品３の確認を容易とする。すなわち、図２に示したように、使用者１６は、若干上方に見上げるだけで、棚板７の前側に置かれている物品３はもとより、棚板７の奥側に置かれている物品３をも、第１鏡面材１４の鏡面１５に映った像によって確認することができる。棚板７の上面の上に置かれて収納される物品３は、通常、使用頻度が比較的低いものであるので、天板８に対する第１鏡面材１４の傾斜角度θ１の変更はさほど必要ない。このため、第１鏡面材１４の傾斜角度θ１は、使用者１６の身長を考慮してある一定の角度にあらかじめ設定しておくことができる。
【００２２】
また、使用者１６の身長差を考慮し、棚板７の上面の上に置かれて収納される物品３をより確認しやすくするためには、第１鏡面材１４の下面１４ａを形成する鏡面１５を凹状または凸状の球面状とすることが効果的である。球面状の鏡面１５は、棚板７の上をより広い範囲で映し出すことができ、棚板７の奥側の上面の上に置かれて収納された物品３の確認をより容易とする。また、球面状の鏡面１５によって、使用者１６が、物品３を確認する際のウォールキャビネット１に対する立ち位置の自由度を高めることができる。使用者１６は、ウォールキャビネット１からあまり遠く離れず、ウォールキャビネット１に比較的近い位置であっても、また、立ち位置をあまり変更せずに見上げ方を変更するだけであっても、棚板７の上面の上に置かれて収納された物品３を容易に確認することができる。
【００２３】
また、ウォールキャビネット１では、棚板７の下面部１７、すなわち、棚板７の下面７ａ側の部分に、平板状の第２鏡面材１８が設けられている。第２鏡面材１８も、第１鏡面材１４と同様に、下面１８ａに鏡面１９を有するものであり、第２鏡面材１８には、鏡板をはじめとして、ステンレスや防錆処理した他の金属板などを鏡面仕上げしたものなどを採用することができる。
【００２４】
一方、第２鏡面材１８は、前端１８ｂにおいて、棚板７の前端７ｂ側に設けられた回動軸２０によって上下方向に回動自在に軸支されている。回動軸２０は、たとえばヒンジなどによって形成が可能である。第２鏡面材１８は、回動軸２０を中心として上下方向に回動自在であり、下方への回動によって後端１８ｃが、箱体５の底板９より上側に位置する収納部４の内部において下方に配置される。このとき、第２鏡面材１８は、収納部４において、前端１８ｂから後端１８ｃにかけて下方に傾斜して配置される。棚板７に対する第２鏡面材１８の傾斜角度θ２は、第１鏡面材１４の傾斜角度θ１と異なり、第２鏡面材１８が回動軸２０を中心として上下方向に回動自在であることから、変更可能である。
【００２５】
このような第２鏡面材１８の回動軸２０を中心とする上下方向の回動は、ウォールキャビネット１では、傾斜手段２１と操作手段２２によって実現される。傾斜手段２１および操作手段２２は、底板９より上側に位置する収納部４の内部に設けられている。
【００２６】
傾斜手段２１は、棚板７のほぼ直下において箱体５の前端２寄りの位置に設けられた制御部２３と、棚板７のほぼ直下において箱体５の奥側に回転自在に設けられたプーリー２４とを備えている。また、傾斜手段２１は、制御部２３および第２鏡面材１８の後端１８ｃを連結するワイヤー２５も備えている。
【００２７】
制御部２３は、複数の歯車により形成され、かつクラッチ機構を有する減速手段と、この減速手段に接続され、ワイヤー２５を巻き取る回転自在な巻き取り手段とを備えている。ワイヤー２５は、その一端が巻き取り手段に固定され、他端が第２鏡面材１８の後端１８ｃに固定されている。また、ワイヤー２５は、巻き取り手段に固定された一端と、第２鏡面材１８の後端１８ｃに固定された他端との途中においてプーリー２４に掛け回されている。
【００２８】
このような傾斜手段２１では、減速手段が作動し、ワイヤー２５を巻き取る方向に巻き取り手段が回転すると、ワイヤー２５が巻き取り手段に巻き取られ、プーリー２４から垂下する部分のワイヤー２５が短くなり、第２鏡面材１８は上方に回動する。また、減速手段の作動によって、ワイヤー２５を送り出す方向に巻取り手段が回転すると、ワイヤー２５が巻き取り手段から送り出され、プーリー２４から垂下する部分のワイヤー２５が長くなり、第２鏡面材１８は下方に回動する。減速手段はクラッチ機構を有しているので、第２鏡面材１８は、任意の傾斜角度θ２で回動が停止され、任意の傾斜角度θ２で静止した状態におかれる。
【００２９】
底板９の上面の上に置かれて収納される物品３は、通常、使用頻度が比較的高いものであるので、使用者１６の異なる身長に対して確認が容易となるようにする必要がある。このために、第２鏡面材１８は、傾斜手段２１によって傾斜角度θ２の変更を自在とされている。
【００３０】
操作手段２２は、使用者１６が傾斜手段２１を操作するためのものである。操作手段２２は、傾斜手段２１の制御部２３に回転自在に接続され、制御部２３から下方に垂下して延びる操作杆２６と、操作杆２６の下端に設けられた操作つまみ２７とを備えている。操作手段２２は、箱体５の内部において前端２寄りでかつ右側の側板１０寄りに配置されている。
【００３１】
また、操作手段２２は、水平面内の回転が自在とされた回転操作式のものであり、使用者１６は、操作つまみ２７を手で握って図１および図２に示した矢印方向に回転させることができる。使用者１６による操作つまみ２７の回転操作によって、操作つまみ２７の回転が操作杆２６を介して傾斜手段２１の制御部２３に伝達され、巻き取り手段によるワイヤー２５の巻き取りと送り出しが行われる。
【００３２】
このように、操作手段２２は、箱体５の内部に設けられているので、扉６の開閉操作の邪魔になることはない。また、操作手段２２は、箱体５の前端２寄りに配置されているので、使用者１６の手が届きやすいところにある。使用者１６は、箱体５の前端２寄りに配置されている操作手段２２を介して傾斜手段２１を操作することによって、第２鏡面材１８の傾斜角度θ２を使用者１６の身長に対応した適正な大きさに簡便に調節することができる。比較的使用頻度の高い底板９の上面の上に置かれて収納部４に収納される物品３の確認は、底板９の上を広範囲で行うことができ、底板９の上面の奥側の収納部４に収納されている物品３に対しても容易に、しかも確実に行うことが可能となる。したがって、ウォールキャビネット１は、異なる身長の複数の使用者１６に対して、第２鏡面材１８の傾斜角度θ２の調節が簡便なものであり、しかもその操作性に優れているという利点を有している。また、ウォールキャビネット１では、操作手段２２を介して傾斜手段２１を操作し、第２鏡面材１８の全体を棚板７のほぼ直下に配置させることもできる。したがって、棚板７から下側の収納部４の奥寄りに収納された物品３を取り出す際や、棚板７から下側の収納部の奥寄りに物品３を収納する際に、第２鏡面材１８が、物品３の取り出しおよび収納の邪魔になりにくい。このように、ウォールキャビネット１は、物品３の取り出しおよび収納を円滑に行うことができるという利点を有してもいる。
【００３３】
なお、図１および図２に示したウォールキャビネット１では、第２鏡面材１８を前端１８ｂにおいて軸支する回動軸２０は、棚板７の前端７ｂに配置されているが、本発明のウォールキャビネットでは、回動軸２０の位置は、特に前端７ｂに限定されることはない。底板９の上面の奥側に置かれて収納部４に収納された物品３を確認することができる限り、回動軸２０は、棚板７の下面部１７において棚板７の奥行き方向の中程またはそれよりも後方に配置することもできる。しかしながら、いずれの場合も、操作手段２２は、箱体５の内部の前端２寄りに配置されることを前提とする必要がある。
【００３４】
また、図１および図２に示したウォールキャビネット１では、操作手段２２は回転操作式としているが、本発明のウォールキャビネットでは、操作手段２２の操作方式は特に回転操作式に限定されることはない。傾斜手段２１の機構に応じた適宜な操作方式を採用することができ、たとえば、操作つまみ２７の引き下げおよび押し上げによって傾斜手段２１を操作する引き下げおよび押し上げ式も回転操作式と同様に採用可能である。
【００３５】
また、棚板７の上面の上に置かれて収納部４に収納される物品３の確認を行う第１鏡面材１４は、固定式としているが、ウォールキャビネット１の設置高さなどによっては、第２鏡面材１８と同様に、傾斜手段および操作手段を設け、傾斜角度θ１を変更自在とすることもできる。この場合、第１鏡面材１４の傾斜角度θ１の調節を行う操作手段は、第２鏡面材１８の傾斜角度θ２の調節を行う操作手段２２と同様に、箱体５の内部の前端２寄りに配置されるのが好ましい。
【００３６】
本発明のウォールキャビネットは、以上の実施形態によって限定されるものではない。箱体の構成および構造、扉の開閉方式、傾斜手段および操作手段の構成および構造などの細部については様々な態様が可能である。
【符号の説明】
【００３７】
１  ウォールキャビネット
２  前端
４  収納部
５  箱体
６  扉
７  棚板
１３  天面部
１４  第１鏡面材
１７  下面部
１８  第２鏡面材
１８ｂ  前端
２０  回動軸
２１  傾斜手段
２２  操作手段
【図１】
2014054332.tif 000003
【図２】
2014054332.tif 000004